(57)【要約】  プードルのようなペット犬Ｄのマズル部Ｍを梳かし具２２を用いて、マズル部Ｍの被毛Ｈが望ましく開立されてその外形を望ましく維持することができ、可愛く仕上げることができるペット犬Ｄのグルーミング方法が要望されている。  ペット犬Ｄの両眼を通る直線の前方に隣接するマズル部Ｍのセクションにおける被毛Ｈを、ペット犬Ｄの鼻側からドライヤー風を当てながら梳かし具２２を用いて上方に梳かして開立して、伸長して保形し、立体的に形付けるとともに、この開立した被毛Ｈを両眼に対する防風壁として機能し、さらには、鼻に隣接するマズル部Ｍのセクションにおける被毛Ｈを放射状に広げて、マズル部Ｍの被毛Ｈの先端で構成される輪郭が、前望して、ほぼ楕円形、長円形、または円形をなすことができるようにカット可能に形成するペット犬Ｄのグルーミング方法である。
2017094090.tif 000002
【特許請求の範囲】
【請求項１】
ペット犬の両眼を通る直線の前方に隣接するマズル部のセクションにおける被毛を、ペット犬の鼻側からドライヤー風を当てて、梳かし具を用いて上方に梳かして開立することを特徴とするペット犬のグルーミング方法。
【請求項２】
ペット犬の両眼を通る直線の前方に隣接するマズル部のセクションにおける被毛を、ペット犬の鼻側からドライヤー風を当てて、梳かし具を用いて上方に梳かして開立し、その被毛によるドライヤー風に対する防風壁を形成することを特徴とするペット犬のグルーミング方法。
【請求項３】
前記梳かし具は、そのくし歯先を前記両眼側に向けて前記マズル部のセクションの被毛に差し込んだ状態で、上方に動かして被毛を梳かして開立することを特徴とする請求項１または２に記載のペット犬のグルーミング方法。
【請求項４】
前記梳かし具は、くし歯先側を前記マズル部のセクションの面に対して平行よりやや下方に傾斜して位置し、そのくし歯先を前記両眼側に向けて前記マズル部のセクションの被毛に差し込んだ状態で、上方に動かして被毛を梳かして開立することを特徴とする請求項１または２に記載のペット犬のグルーミング方法。
【請求項５】
前記梳かし具は、くし歯先側を前記マズル部のセクションの面に対して平行よりやや下方に傾斜して位置し、そのくし歯先を前記両眼側に向けて前記マズル部のセクションの被毛に差し込んだ状態で、そのくし歯先を前記両眼近傍に当てながら上方に動かして被毛を梳かして開立することを特徴とする請求項１または２に記載のペット犬のグルーミング方法。
【請求項６】
前記梳かし具は、その長手方向をペット犬のそれぞれの眼と鼻とを結ぶ線にほぼ沿う方向に位置し、そのくし歯先をそのセクションにおける被毛に差し込んだ状態で梳かし具の長手方向に動かしながら、被毛を両眼の間方向に曲線を描くように梳かして上方に開立することを特徴とする請求項１または２に記載のペット犬のグルーミング方法。
【請求項７】
前記開立した後に、梳かし具を用いて鼻に隣接するマズル部のセクションにおける被毛を放射状に広げるとともに、前望して、被毛の先端で構成される輪郭が、ほぼ楕円形、長円形、または円形をなすようにカット可能に成形することを特徴とする請求項１または２に記載のペット犬のグルーミング方法。
【請求項８】
マズル部側面における被毛を、鼻側からドライヤー風を当てて、鼻方向から頬方向に梳かし具で梳かすことを特徴とする請求項１または２に記載のペット犬のグルーミング方法。
【請求項９】
マズル部側面における被毛を、リップラインの横側からドライヤー風を当てて、鼻方向から頬方向に梳かし具で梳かすことを特徴とする請求項１または２に記載のペット犬のグルーミング方法。
【請求項１０】
マズル部側面のリップラインにおける被毛を、リップラインの横側からドライヤー風を当て、リップラインから上方および頬方向に梳かし具で梳かすことを特徴とする請求項１または２に記載のペット犬のグルーミング方法。
【請求項１１】
梳かし具による開立のための梳かし作業に先立って、マズル部被毛の内部にあり、周囲の被毛の方向に影響を与えるヒゲを根元付近からカットすることを特徴とする請求項１または２記載のペット犬のグルーミング方法。
【請求項１２】
ペット犬の両眼を通る直線の前方に隣接するマズル部のセクションにおける被毛を、マズル部のストップ部において、ノーズブリッジの上面に鋏をほぼ垂直に位置してカットすることを特徴とする請求項１または２記載のペット犬のグルーミング方法。
【請求項１３】
両眼頭下方の被毛の一部をカットして切り込みを入れてマズル部をグルーミングすることを特徴とする請求項１または２記載のペット犬のグルーミング方法。
【請求項１４】
ペット犬の両眼の前方に配置することができ、鼻の前方または横方向からのドライヤー風の前記両眼に対する防風壁を有する防風マスクを使用してする請求項１または２記載のペット犬のグルーミング方法。
【請求項１５】
透明なプラスチック平板で形成され、ペット犬のマズル部のあるべき被毛の外形に一致するほぼ円状の形状を有し、その中央部下方には、ペット犬の鼻に相当する位置に基準孔を有する目安定規を、カット時に基準孔をペット犬の鼻にあてがって、その外形を目安としてマズル部の被毛をカットする請求項１または２記載のペット犬のグルーミング方法。
【発明の詳細な説明】
【技術分野】
【０００１】
この発明は、ペット犬のグルーミング方法に係り、特には、マズル部の被毛が伸びるプードルやマルチーズ、ヨークシャテリアやシュナウザー、ビションフリーゼ等の純血種及び混血種の犬のグルーミング方法に関する。
詳述すれば、家庭犬としてのこれらのペット犬において、その両眼を通る直線の前方に隣接するマズル部のセクションにおける被毛を、ペット犬の鼻側からドライヤー風を当てて、梳かし具を用いて上方に梳かして開立し、立体的に形づけるとともに、この開立した被毛を両眼に対する防風壁として機能し、さらには、鼻に隣接するマズル部のセクションにおける被毛を放射状に広げて、マズル部の被毛の先端で構成される輪郭が、前望して、ほぼ楕円形、長円形、または円形をなすことができるようにカット可能に形成して、ペット犬のマズル部を極めて愛らしく、可愛く仕上げることができるようにするペット犬のグルーミング方法に関する。
【背景技術】
【０００２】
一般に、プードルのような家庭犬としてのペット犬は、固有の毛並み、すなわち、やわらかい被毛の根元に生える方向が表われ、その先端は、被毛の長さや剛柔によって、生える方向にしたがうか、下方に垂れ下がるかの毛並みを有している。そのようなペット犬の飼い主は、その愛玩性のために、その毛並みをより嗜好に合うように希望して、ペット犬個体のシャンプー、タオルドライイング、ドライヤードライング、その後、カット、と関連してペット犬の顔の表情にもなるマズル部や頭部を鋏などでカットし、形成するグルーミングを定期的に依頼し、依頼を受けた専門技術を有する施術者が、それらを実施することが行われている。【０００３】
そして、通常は、専門のグルーミングサロンにおいて、ペット犬のシャンプー後、ドライングをしながら、コームやスリッカーブラシ等の梳かし具でペット犬の被毛を、希望する方向に梳かし、所定部分を鋏でカットし、全体の外形、すなわち輪郭を整えるグルーミング方法が実施されている。【０００４】
従来のグルーミング方法は、例えば特許文献１、または２に示されるようにシャンプー後のペット犬の後方からドライヤーの温風を当てて、個体をドライングしながら実施するのが一般的である。【０００５】
従来のペット犬のドライヤーによるドライング、またはグルーミングにおいて、ドライヤーの使用位置は、風をペット犬の眼に当てることを避けて、通常、その吹出口からの送風方向がペット犬の後部上方、すなわち、後頭部上方から風が当たるように配置されていた。【０００６】
加えて、梳かし具を眼に当てることを避けるために、その梳かし具の動きも、目から離してペット犬のマズル部上方から下方への動きが中心となって、ペット犬の顔部、すなわちマズル部の被毛が前方及び下方に傾く傾向が多くなり、特に、両眼の前方に隣接するセクションにおける被毛は下方に向いたままの状態に形づくられてしまっていた。【０００７】
そのために、前記両眼の前方に位置するセクションにおける、さらには、鼻側に隣接するセクションにおける当該マズル部の被毛は、前記下方に向いたままの被毛の影響を受けて、充分に開立できず、下方や前方に倒される被毛の力を受けて、全体として立体的な膨らみが不足してしまい、望ましいふっくらとしたマズル部の被毛の外形、すなわち、マズル部の被毛の先端で構成される輪郭を充分に形成することができなかった。【０００８】
以下に、プードル等の家庭犬であるペット犬の従来のグルーミング方法について説明する。【０００９】
まず、従来技術を示す図１及び図２に基づいて、ペット犬Ｄのシャンプー後にグルーミングする場合について、例を挙げて説明すると、ボディなどをドライングした後にペット犬Ｄのマズル部Ｍの被毛Ｈが濡れている状態で、例えばドライヤー２０を使用してその温風を当てながら、さらには、コームやスリッカーブラシのような梳かし具２２で梳かしながら、ペット犬Ｄのマズル部Ｍの被毛Ｈをドライングする。【００１０】
通常は、ペット犬Ｄの両眼に直接ドライヤー２０の風が当たらないようにするために、ドライヤー２０をペット犬Ｄのマズル部Ｍの上方や、後頭部上方や、時には側頭部の方から鼻先の方向に向けて風を当てている。さらには、ハンドドライヤー２０を施術者の胸元に設置した場合でも、同様にペット犬Ｄのマズル部Ｍの上方や、後方や、後方部斜め上方から斜め下方に風を向けていた。【００１１】
そのために、ペット犬Ｄのマズル部Ｍの被毛Ｈは、ドライヤー２０の風力により、鼻先方向や下向きになびく状態となり、その際の梳かし具２２の使用についても、両眼前方の隣接するセクションの被毛Ｈを両眼から離す方向に梳かしていた。また、風を被毛Ｈ内部に入れるために、ランダムな動かし方で梳かす例もあった。【００１２】
加えて、ドライヤー２０の風向きにより、マズル部Ｍの被毛Ｈは下向きに倒されて、鼻先方向に被毛Ｈ先端が飛び出すような形になったり、下方に垂れ下がった形となり、少なくとも初期段階では外観的に望ましくない形状になってしまっていた。【００１３】
この状態からあらためて、梳かし具２２を使用して、マズル部Ｍの被毛Ｈを、望む方向に梳かして外形を整えようとしても、一旦癖がついてしまった被毛Ｈは、実際には簡単に整えることができず、望ましい形状に整形できなかったり、後に変形してしまうという不具合があった。【００１４】
このように従来におけるグルーミング方法においては、ペット犬Ｄのマズル部Ｍに対してドライヤー２０の風を当てる方向が、ペット犬Ｄの頭部後方、頭部横方向、さらには上方からであり、また、一時的に前方からであったり、または、前方から風を当てることはしていなかった。そのために、ペット犬Ｄの両眼の前方に隣接するセクションの被毛Ｈは、当然のことながら、前方または斜め下方に倒されている状態になり、その結果、ペット犬Ｄの両眼に対してはその眼前が開放されて、風通しがよい結果となる。したがって、逆にマズル部Ｍに当った風が跳ね返って眼に入り易くなっていた。また、ペット犬Ｄにとっては、その視界が開けるために、ペット犬Ｄは眼を開けて外を眺めようとするために、反射した風や、一時的にでも前から風を向けた場合には、風がより一層眼球に当ることになるという不具合があった。【００１５】
また、従来技術のグルーミング方法においては、前述したように、ペット犬Ｄの眼に向かってドライヤー２０の風を当てない、そして梳かし具２２も眼に当てないようにという前提から、実際上、特にペット犬Ｄの両眼の前方に隣接するマズル部Ｍのセクションにおける被毛Ｈを根元から確実に開立することが実現できない。したがって、前述したように、当該セクションにおける被毛Ｈは、その生える下方の方向のままとなって垂れ下がり、その影響を受けてそのセクションの前方に隣接するセクションの被毛Ｈも充分に開立ができなかった。また、カット時に梳かし具に２２で開立してもその形を崩してしまう結果を生じたり、さらには、マズル部Ｍの被毛Ｈの先端が鼻先から前方に飛び出すように形づくられてしまうという結果を生じていた。【００１６】
その結果、前述したようにマズル部Ｍの全体の被毛Ｈが、充分に開立されず、したがってその外形、すなわち、マズル部Ｍの輪郭が、充分に形成開立されず、立体形状に整形することができず、被毛Ｈによってつぶされたり、倒されたり、さらには被毛Ｈの先端が鼻先方向に飛び出していた。さらには、口周りや鼻の周辺部の被毛Ｈが垂れ下がったように形成されてしまうという不具合があった。【００１７】
さらにまた、マズル部Ｍの被毛Ｈの毛量が少ないペット犬Ｄにおいては、通常量の被毛Ｈのペット犬Ｄと比較して、その被毛Ｈを開立した状態にすることができず、より一層被毛Ｈが萎れるようにされて、外観的に満足できる仕上がりを得ることができなかった。【００１８】
さらに、ペット犬Ｄの個体の大きい、長いマズル部Ｍになると、そのような被毛Ｈの萎え具合がさらに分かり、外観的に満足できる仕上がりを得ることができなかった。【００１９】
また、その影響から、カット段階においても、思い通りに整形することができず、トリミング後のマズル部Ｍの被毛Ｈの仕上がりも、山型や円盤型に近くなったり、垂れ下がった被毛Ｈ部分を切り除いた結果の、上方の被毛Ｈが短いほぼ楕円形、長円形、または円形、構成する半径の所要被毛Ｈが短くて済む、同じく上方の被毛Ｈが短い小さめの楕円形、長円形、または円形をなすようになったり、頂点の低い楕円形になったり、側望して、鼻の周りだけが膨らんでいたり、また、結局は後に、マズル部Ｍの鼻の周辺部の被毛Ｈも垂れ下がって好ましくない外形に変形してしまうという不具合があった。【００２０】
さらに、従来技術においては、ペット犬Ｄの額と鼻とのつなぎ部分において、ノーズブリッジ上面に対して鋏の刃の角度を傾けたり、平行になるように当てて被毛Ｈをカットしていたので、結果的に鼻上部のセクションと隣接するセクションの被毛Ｈがカットされてしまい、マズル部Ｍの被毛Ｈの高さが減少して、高さが低く形成されるという不具合もあった。
【先行技術文献】
【特許文献】
【００２１】
【特許文献１】実開平６−７４５８号公報
【特許文献２】実用新案登録第３０９１１６６号公報
【発明の概要】
【発明が解決しようとする課題】
【００２２】
この発明は、ペット犬Ｄの両眼を通る直線の前方に隣接するマズル部Ｍのセクションにおける被毛Ｈを、ペット犬Ｄの鼻側からドライヤー風を当てて、梳かし具２２を用いて上方に梳かして開立し、立体的に形づけるとともに、この開立した被毛Ｈを両眼に対する防風壁として機能し、さらには、鼻に隣接するマズル部Ｍのセクションにおける被毛Ｈを放射状に広げて、マズル部Ｍの被毛Ｈの先端部で構成される輪郭が、高さや大きさの選択も可能な、前望して、ほぼ楕円形、長円形、または円形をなすことができるようにカット可能な被毛状態に形成するグルーミング方法を提供することであり、さらに、マズル部Ｍの被毛Ｈの垂れ下がりや、鼻より前方への突出、及び、マズル部の整形不足を防止するグルーミング方法を提供することである。そして、マズル部Ｍの被毛Ｈの多少や、個体の大小、マズル部Ｍの長短に拘らず、カットされた仕上がり状態では、その被毛Ｈが、充分に美的に、効率よく、自立して、伸長され、開立されて、その形状の保持に極めて優れたグルーミング方法を提供することである。【００２３】
さらに、従来、ペット犬Ｄの眼に当たる恐れがあった、マズル部Ｍの被毛Ｈに対してドライヤー２０を使用する工程におけるドライヤー風を、効率よく抑制できるグルーミング方法を提供することである。【００２４】
ペット犬Ｄの飼い主の希望は、カット後に、そのマズル部Ｍの被毛Ｈが、垂れ下がった様子ではなく、その外形、すなわち、被毛Ｈの先端部で形成される輪郭が、前望して、ほぼ楕円形、長円形、または円形をなすことができるようにカット可能に形成されるように開立して、被毛Ｈが全体としてふんわりと自立して、開立状態を維持することである。したがって、ペット犬Ｄの顔の大きさ、形状、マズル部Ｍの長さ、被毛Ｈの多少、被毛Ｈの剛柔等の性質に関係なく、希望する外形を維持することであり、そのようなグルーミング方法が望まれている。【００２５】
すなわち、どのような被毛Ｈの性質や外形を有するペット犬Ｄに対しても、充分満足できるマズル部Ｍの被毛Ｈの外形、すなわち、被毛Ｈの先端部で形成される輪郭が、常に得られるグルーミング方法が望まれる。
【課題を解決するための手段】
【００２６】
この発明によるペット犬Ｄのグルーミング方法は、ペット犬Ｄの両眼を通る直線の前方に隣接して位置するマズル部Ｍのセクションにおける被毛Ｈをペット犬Ｄの鼻側からドライヤー風を当てて、梳かし具２２を用いて上方に梳かして開立し、立体的に形づけるとともに、この開立した被毛Ｈを両眼に対する防風壁として機能し、さらには、このセクションに隣接するセクションを有するマズル部Ｍの被毛Ｈを全体としてその外形、すなわち、被毛Ｈの先端部で形成される輪郭が、高さや大きさの選択も可能な、前望して、ほぼ楕円形、長円形、または円形をなすことができるようにカット可能に形成されるように開立して、その外形を保持できるようにした方法である。【００２７】
ここでカット可能にとは、この発明のグルーミング方法の実施前にマズル部Ｍの被毛Ｈを一定形状にカット済みでその影響が残っている場合には、マズル部Ｍの被毛Ｈが望ましい輪郭を呈して開立されるため本格的なカットが必要ない程度であり、被毛Ｈにカットの痕跡が残っていない場合には、カットが必要になる程度であることを意味するものである。【００２８】
そして、マズル部Ｍの全ての部位の被毛Ｈを、根元から希望する方向に伸長して癖付けをすることによって自立するように開立するものである。さらには、それらの自立した被毛Ｈと相互に隣接する被毛Ｈと部分的に接触して支持し合うことによって、より一層その被毛Ｈが下方に垂れ下がらずに、その位置を維持し続けることができるように開立することができるペット犬Ｄのグルーミング方法である。【００２９】
すなわち、開立とは、コームのような梳かし具２２によって被毛Ｈを所望の方向に伸長して根元から癖付けをすることによって自立するとともに、相互に隣接する被毛Ｈと部分的に接触して支持しあうことによって立体的に膨らみを保ち、より一層下方に垂れ下がらずに、その位置を維持し続けることができることである。この場合、前記梳かし具２２は、ペット犬Ｄの両眼を通る直線の前方に隣接するマズル部Ｍの各セクションの面に対して平行よりくし歯先側をやや下方に傾斜して位置するとともに、そのくし歯先を前記両眼側に向けて前記マズル部Ｍのセクションの被毛Ｈに差し込んだ状態で、くし歯先を眼の下側、またはその近傍に軽く当てながら、その角度を保持したまま上方に動かして被毛Ｈを梳かして開立し、かつ、梳かし具２２をそのまま上方に動かして梳かすことによって、両眼の前の被毛Ｈは、伸長し、開立して、確実に自立する。
ドライヤー２０の風をペット犬Ｄの鼻側から当てながら前述のように開立するようにしたペット犬Ｄのグルーミング方法である。【００３０】
そして、それぞれの被毛Ｈを、さらには、そのドライヤー風をペット犬Ｄの鼻側から被毛Ｈに当てながら前述のように開立してその開立した被毛Ｈをドライヤー風の両眼に対する防風壁として機能するようにしたペット犬Ｄのグルーミング方法である。【００３１】
この発明のグルーミング方法において実際に使用するドライヤー２０は、ペット犬Ｄの鼻の前方に配置され、施術者が、例えば梳かし具２２を右手に、そして左手でペット犬Ｄの顔を保持しながら、例えば業務用ドライヤー２０によって、マズル部Ｍに向かってドライヤー２０の風を当てるようにしている。【００３２】
この場合、ペット犬Ｄに、ドライヤー２０の送風がマズル部Ｍ前方から眼の方向に風が強く当るのを避けるため、また、マズル部Ｍ全ての被毛Ｈをコントロールするため、弱めの風を当てはじめ、水平方向や、水平方向よりもやや斜め下方またはやや斜め上方から送風することによって、穏やかにグルーミング方法を実施することができる。【００３３】
また、防風マスクをペット犬Ｄの眼前に配置して作業することもできる。【００３４】
さらに、この発明における鋏の、ペット犬Ｄのストップ部におけるノーズブリッジ上面に対するほぼ垂直位置による被毛Ｈのカット、及びそれより若干眼側に鋏を位置して、眼の前に開立された被毛Ｈのうち、眼に触れるキワの被毛Ｈが一部カットされるだけであるので、両眼の直前から開立したマズル部Ｍの被毛Ｈのそのままを有効に使え、被毛Ｈの先端部で形成されるマズル部Ｍの輪郭が、高さや大きさの選択も可能な、前望して、ほぼ楕円形、長円形、または円形をなすことができるようにカット可能に形成されるように開立して、その外形を保持して、マズル部Ｍの全ての被毛Ｈを最大限に利用することができる。
【発明の効果】
【００３５】
このように、ペット犬Ｄの両眼を通る直線の前方に隣接して位置するマズル部Ｍのセクションにおける被毛Ｈを、ドライヤー風を当てて梳かし具２２を動かして根元から上方に伸長して癖付けをすることにより自立するように開立することによって、また、ペット犬Ｄとしては眼前で作業が実行されることによって、防風壁となるための被毛の長さが満たない場合でも、眼の直前、または眼の下に梳かし具２２が優しく当って梳かし作業が行われるので、自然と静かに両眼を閉じていることができる。そして、その被毛Ｈは開立前の自然の生え流れ状態ではそれに隣接するマズル部Ｍのセクションにおける被毛Ｈをその方向に押し倒す傾向があったが、当該開立後は、自立し、さらには隣接するマズル部Ｍのセクションにおける開立された被毛Ｈと相互に部分的に接触し合って成形され、起立状態をより一層維持することができて、マズル部Ｍ全ての被毛Ｈが、外形の立体形成に利用可能となり、セクション間で段差なく、全体としてその外形、すなわち、被毛Ｈの先端部で形成される輪郭が、高さや大きさの選択も可能な、前望して、ほぼ楕円形、長円形、または円形をなすことができるようにカット可能に形成されるように、立体的に形成維持することができる。【００３６】
この場合、両眼を通る直線の前方に隣接して位置するマズル部Ｍのセクションにおける被毛Ｈを、ドライヤー風を当てて梳かし具２２を動かして根元から上方に伸長して癖付けをすることによって自立するように開立した状態で、ペット犬Ｄにとっては、その開立した部分の被毛Ｈが、鼻前方や斜め方向からのドライヤー風を抑制する防風壁の機能を果たすことができる。【００３７】
ここで、マズル部Ｍの開立した被毛Ｈの輪郭の上縁は、充分に眼の高さを超えて位置することができ、この場合には、前望して、両眼が全て見通せる従来の被毛高さに比較して、両眼の下から過半以上が被毛Ｈによって隠れる高さなどにカット形成することができるので、眼が微笑んでいるようにも見え、前望したときのマズル部Ｍの形状、すなわち、顔立ちが一層かわいく見えるように、処置することができる。【００３８】
したがって、この状態で、さらにドライヤー風をペット犬Ｄのマズル部Ｍの前方から当てながら、梳かし具２２によって整形する場合には、ドライヤー２０の風がペット犬Ｄの眼に直接当ることが抑制され、極めて弱くなるため、ペット犬Ｄはグルーミングを嫌がることなく、おとなしくしていることができる。【００３９】
さらに、前述したように、マズル部Ｍの被毛Ｈを全体としてその外形、すなわち、被毛Ｈの先端部で形成される輪郭が形成される工程においては、それらの開立されたマズル部Ｍの被毛Ｈによっても、ドライヤー風がペット犬Ｄの眼に当るのを充分に弱め、防止することができ、ペット犬Ｄの前方、または斜め前方からのドライヤー風の効果によって、マズル部Ｍの被毛Ｈのより確実な開立が達成できる。【００４０】
さらに、この発明におけるペット犬Ｄのノーズブリッジ上面に対して鋏２４をほぼ垂直に当ててカットすることにより、マズル部Ｍの被毛Ｈは、前方へ倒れる被毛Ｈの影響を受けることなく、前望して、ほぼ楕円形、長円形、または円形をなすことができるようにカット可能に形成されるように開立して形成され、立体開立したマズル部Ｍの全ての被毛Ｈを最大限に利用することができる。
【図面の簡単な説明】
【００４１】
【図１】図１は、従来の、家庭犬、ペット犬のグルーミング方法におけるペット犬とドライヤーの送風口との位置関係を示す斜視説明図である。
【図２】図２は、同じく、従来のペット犬のグルーミング方法におけるペット犬とドライヤーの送風口との位置関係を示す側面説明図である。
【図３Ａ】図３Ａは、この発明のグルーミング方法によるペット犬とドライヤーの送風口との位置関係を示す斜視説明図である。
【図３Ｂ】図３Ｂは、この発明のグルーミング方法によるペット犬とドライヤーの送風口との位置関係を示す平面説明図である。
【図４】図４は、ペット犬のマズル部の被毛の方向の概略を矢印で示す平面図である。
【図５Ａ】図５Ａは、この発明のグルーミング方法によるペット犬のマズル部の毛並み及び被毛の性質、外表面の方向に対応して区分したセクションを示す側面図である。
【図５Ｂ】図５Ｂは、同じく正面図である。
【図６Ａ】図６Ａは、この発明のグルーミング方法の対象となるペット犬のマズル部の被毛とその中に混在するヒゲ（触毛）の形態を拡大して示す説明図である。
【図６Ｂ】図６Ｂは、この発明のグルーミング方法におけるヒゲの根元を鋏でカットする様子を拡大して示す説明図である。
【図６Ｃ】図６Ｃは、同じく、ヒゲをカットした状態のマズル部を拡大して示す説明図である。
【図７Ａ】図７Ａは、この発明のグルーミング方法による両眼を通る直線の前方に隣接するセクションにおける被毛の開立状態を示すとともに、梳かし作業における梳かし具の位置例を点線で示す側面図である。
【図７Ｂ】図７Ｂは、同じく両眼を通る直線の前方に隣接するセクションにおける被毛Ｈの開立状態を示す正面図である。
【図８】図８は、この発明のグルーミング方法によるペット犬のマズル部の被毛に対するドライング時の梳かし具を動かす方向を示す図である。
【図９】図９は、この発明のグルーミング方法におけるペット犬のマズル部の眼頭の前方に隣接するセクションにおける被毛の一部分に対する鋏のカット位置を示す説明図である。
【図１０】図１０は、この発明のグルーミング方法におけるペット犬の両眼を通る直線に隣接するマズル部のセクションにおける被毛部分に対する鋏のカット角度を示す説明図である。
【図１１】図１１は、この発明のグルーミング方法による透明なプラスチック板材からなり、ペット犬の両眼の直前にほぼ垂直に起立して位置し、前方からのドライヤーの風を眼の前で防風する防風マスクの正面図である。
【図１２】図１２は、この発明のグルーミング方法による長円形を有する布製の防風マスクであって、その両端に伸縮自在の保持具を接続し、この保持具によってペット犬の眼の前に、位置する防風マスクの正面図である。
【図１３】図１３は、同じくペット犬のマズル部をカットまたはグルーミングする場合に、必要により使用するマズル部の被毛による輪郭の形状の目安となる透明な目安定規の一例を示す正面図である。
【図１４】図１４は、お座りしたペット犬を斜め上方から見て、この発明のグルーミング方法によって整形されたマズル部をやや上方から前望した輪郭の形状を例示する斜視図である。
【図１５】図１５は、同じく、この発明のグルーミング方法によって整形されたペット犬がお座りをしている、マズル部を、やや上方から前望した輪郭の形態を例示する写真である。
【発明を実施するための形態】
【実施例】
【００４２】
この発明によるペット犬Ｄのマズル部Ｍの被毛Ｈのグルーミング方法の一実施例を説明する。ここでは、グルーミングの一般的な流れのように、シャンプーの作業を入れ、ドライヤー２０を使用したグルーミング方法の一例を記載する。【００４３】
ペット犬Ｄは、図３Ａ及び図３Ｂに示すように、四肢で立ったまま、または、お座りした状態でその顔部を施術者に対面して配置される。【００４４】
このペット犬Ｄは、その顔全体を顔から生える柔らかい被毛Ｈで覆われており、その前端に鼻を有するマズル部Ｍを備えて、施術者に向けている。【００４５】
この柔らかい被毛Ｈで覆われているマズル部Ｍには、図６Ａに拡大して示すように、その被毛Ｈに隠れるようにして、各所にヒゲ（触毛）Ｂが図示する程度の密度で分散して生えている。このヒゲＢは、被毛Ｈに比べて硬く、ペット犬Ｄの筋肉の動きとともに前後などに動くものであり、その周囲の被毛ＨはこのヒゲＢの動きの影響を受けて、押され、動かされることになる。【００４６】
したがって、施術者は、グルーミング作業に先立って、先ず、マズル部Ｍの被毛Ｈの中に混在するヒゲＢをマズル部Ｍの片側につき２０〜３０本程、被毛Ｈの中からヒゲＢを探し出して、１本ずつ根元付近からカットして取り除くことから開始する。ペット犬Ｄのマズル部Ｍが小さかったり、被毛ＨとヒゲＢが類似している組み合わせにより、見つけにくい場合でも、２０本前後ほどは目指して探し、カットして取り除く。  
詳述すると、これらのヒゲＢについて見ると、従来、ヨークシャテリアやシュナウザーなどの、マズル部Ｍの被毛Ｈは淡色であるが、ヒゲＢは、被毛Ｈに比べて黒く太く、ヒゲＢが鋭くて人に痛さを感じさせる場合や、仕上げ後も、マズル部Ｍの被毛Ｈから突出して目視される場合には、外見上の好みにより望む程度、カットしていた。【００４７】
しかし、マズル部Ｍの被毛Ｈを、鋏２４でカットしてトリミングする場合には、ヒゲＢは意識されることなく、被毛Ｈの外形、すなわち輪郭のカットの段階で、周りのマズル部Ｍの被毛Ｈと同時に同じ長さで切られた状態で残されていた。【００４８】
詳述すると、プードルやマルチーズなどのヒゲＢは、マズル部Ｍの被毛Ｈと同色または同系色で、被毛Ｈに紛れるほど細く、目立たないので、従来、意識されずに被毛Ｈのカット段階で、外形を整える際に、同時に、一緒にカットしてマズル部Ｍの被毛Ｈと同じ外形の長さに切られた状態で残されていた。【００４９】
そのために、マズル部ＭのヒゲＢの方向性が周囲の被毛Ｈの方向性に影響を与えてしまい、梳かし具２２や鋏２４によって施術者がマズル部Ｍの被毛Ｈの形状を整形し、仕上げた後に、そのヒゲＢの方向が周囲の被毛Ｈの整形した形状に影響してしまうという不具合があった。特に、理想の状態に整えてカットした施術後に、ペット犬Ｄを、例えばトリミングテーブルから降ろした後に、ペット犬Ｄ自身がヒゲＢを例えば前後に動かすことによって、マズル部Ｍの被毛Ｈのうち、ヒゲＢのまわりの被毛Ｈが前後方向に動かされることがある。そのため、せっかく整形した形から変形されてしまうという問題があることから、これらのヒゲＢは、外観上、開立された被毛Ｈによって外から見えないが、その存在による影響は大きい。【００５０】
したがって、図６Ｂに拡大して示すように、鋏２４でヒゲＢをその根元付近からカットし、おなじく図６Ｃに拡大して示すように、周囲の被毛Ｈに対してヒゲＢの存在をなくし、その動きが被毛Ｈに対して何らの影響を与えることがない状態を実現する。【００５１】
また、ペット犬Ｄのマズル部Ｍにおける被毛Ｈの生える部分は、図５Ａ及び図５Ｂに示すように、その毛並み、及び被毛Ｈの性質、外表面、すなわち輪郭の方向に対応して示した領域として認識される。すなわち、それぞれ、鼻骨上面（ノーズブリッジ）のセクション１、両眼を通る線から前方に隣接する、中央のセクション２ａ、両眼の前方のセクション２ｂ、２ｄ、さらにそれに隣接するセクション２ｃ、２ｅであり、以下隣接してそれぞれ表されるマズル部Ｍの側面、すなわち、顔の向かって右側のセクション３、４ａ、４ｂ、５、６、及びこれらに対応する左側のセクション７、８ａ、８ｂ、９、１０、さらには鼻下のセクション１１からなる、１７セクションである。セクション５、９は、リップライン（唇）と、また、セクション６、１０は、チーク（頬）と呼ばれる。【００５２】
そのうち、マズル部Ｍの両側面、すなわち、セクション１の両側方にそれぞれ隣接するセクシヨン３、７、そのさらに両側方にそれぞれ隣接するセクション４ａ、８ａ、セクション５、９、その上方のセクション４ｂ、８ｂにおいては、図６Ａに例示されたように被毛Ｈの中にヒゲＢが存在する。前述したように、鋏２４で、図６Ｂに示すようにヒゲＢを根元付近からカットして、図６Ｃに示すように取り除く。【００５３】
これらのヒゲＢを、後述するような被毛Ｈを整えた後に探すのは、一旦美しく整えた被毛Ｈの外形を乱すことになるし、またシャンプー後に思い出してカットすると、ペット犬Ｄを濡れたまま待たせることになってしまう。したがって、先行してヒゲカットを行うのが望ましい。被毛Ｈと同系色や淡色で見つけにくく、切り残したヒゲＢをその後のドライング中に見つけた場合は、その時点でカットする。これにより、整形後のマズル部Ｍの被毛ＨがヒゲＢの動きによって変形するのを予め防ぐことができ、仕上がり後も美しく外形を形状保持することができる。【００５４】
その後、ペット犬Ｄについて通常の全身のシャンプーを行い、タオルドライする。【００５５】
次いで、施術者は、ペット犬Ｄのお腹が冷えないように考慮して、ドライヤー風を当て、腹部及び頭部をドライングし、その後、施術者は、業務用ドライヤー２０を設置するか、ハンドドライヤーを胸前に保持して、ペット犬Ｄの前方に対面して、片手でペット犬Ｄの顔をあご下から保持して、図３Ａ、３Ｂに示すように、ペット犬Ｄとドライヤー２０との位置関係をとる。【００５６】
以下に説明する実施例においてマズル部Ｍに対して使用するドライヤー２０の送風口の高さ及び向きは、図３Ａ、３Ｂに示したとおり、ペット犬Ｄの鼻の高さを目安にして、鼻の前方近傍であって、ドライヤー風によってマズル部Ｍの被毛Ｈが、鼻から前方に向かうことがない。さらに、被毛Ｈが下向きにも形づくられない範囲に風が当るように、適宜、ペット犬Ｄの顔を動かして微調整し、さらには、ドライヤー２０の送風口を、適宜その都度微調整して、ドライヤー風を鼻側から当てるようにして、施術する。【００５７】
詳述すれば、ドライヤー風を鼻側から当てることの意味は、図３Ｂに記載されたドライヤー２０の吹出し口が鼻の真前にある場合はもちろんのこと、点線で示すようにマズル部Ｍに対して横方向に例えば６０°の角度で位置する場合、さらには、眼に対してある角度をもってドライヤー風が当たる場合をも包含するものである。【００５８】
これによって、マズル部Ｍのそれぞれのセクションの被毛Ｈを、図８に示すようなコームのような梳かし具２２を動かして通常のドライングを行うようにしながら、充分にそれぞれの被毛Ｈを伸長して根元から癖付けをして自立することができる。この場合、図７Ａに図示されて明らかなように、コームのような梳かし具２２のくし歯先を眼の方向に差し込み、上方に梳かすことによって、被毛Ｈが確実に伸長されて、開立が確実に行われる。さらには、相互に隣接する被毛Ｈと部分的に接触して支持しあうことによって、より一層、その伸長された被毛Ｈが下方に垂れ下がらずに、その位置を維持し続けることができるように開立して、確実に望む方向になびかせ、理想的に外形、すなわち被毛Ｈの先端部で形成される輪郭を形成することができる。【００５９】
この実施例におけるマズル部Ｍに使用するドライヤー２０の温度は、ペット犬Ｄの皮膚の一定箇所はもちろん、施術者の手の甲に風をあて続けても、決して熱さを感じることのない、ペット犬Ｄにとっても心地良い体感温度である範囲、例えば、３１−３８°Ｃ程度である。もちろん、季節、気温、土地柄などその時々の体感温度によって調節することができる。【００６０】
またこの実施例のマズル部Ｍに使用するドライヤー２０の風量は、被毛Ｈをコントロールできる程度の風量であり、ペット犬Ｄもくつろげる程度の風量、例えば、風速４−８ｍ／ｓ程であることが施術しやすい。【００６１】
このような条件下で、施術の一例について説明すると、ドライヤー２０の温度及び風量を確認したうえで、ドライヤー２０を図３Ａ、３Ｂのようにペット犬Ｄの鼻の前方に位置させて、マズル部Ｍのセクション１及び２ａに風を当てる。梳かし具２２を使用し始めるとペット犬Ｄは自然と眼を閉じ、また、鼻の方から眼の方向に梳かし具２２を動かしはじめ、眼の前で被毛Ｈを開立する作業がなされるので、ペット犬Ｄは自然と眼を閉じたままである。【００６２】
図４に概略を矢印で示しているペット犬Ｄのマズル部Ｍの平面図における被毛Ｈの方向からも明らかな通り、セクション１における被毛Ｈは鼻の左右両側への分かれ目であり、セクション２ａにおける被毛Ｈは、額方向に向かって折り返して折り重なっている。【００６３】
以下に、セクション毎にグルーミングの実行手順の一例について説明する。
先ず、施術者は、ペット犬Ｄのあご下の被毛Ｈを保持してペット犬Ｄのマズル部Ｍを保定し、図７Ａにおいて、コームのような梳かし具２２の位置を点線で示すように、ペット犬Ｄのノーズブリッジ、すなわち、セクション１及びセクション２ａの面に対して平行よりも先端側をやや下方に傾斜してコームのような梳かし具２２を位置するとともに、両眼にほぼ平行に位置し、ペット犬Ｄの鼻側からドライヤー風を当てて、図５Ａ、５Ｂにおけるセクション１及びセクション２ａにおける被毛Ｈを鼻側から頭部方向に梳かし具２２によって梳かし、被毛Ｈを伸長しつつ、自立させる。この場合、そのくし歯先をペット犬Ｄの両眼側に向けてマズル部Ｍのセクションの被毛Ｈに差し込んだ状態で、くし歯先を両眼間のストップ部Ｓに軽く当てながらその角度を保持したまま上方に動かして梳かしながら、両眼の前で被毛Ｈを伸長しつつ、開立して自立させる。【００６４】
セクション２ａについては、同様に、ペット犬Ｄの鼻側からドライヤー風を当てて、その根元から起立するように伸長して開立して自立する。このセクション２ａの開立した被毛Ｈは、セクション１の開立した被毛Ｈと相互に合流して、より一層、相互にその一部分を接触して開立した自立状態を維持することができる。この作業は通常のドライングのように被毛Ｈが乾くまで繰り返される。【００６５】
セクション２ａ、及び、それに相互に隣接する２ｂ、２ｃ、そしてセクション２ｄ、２ｅは、図５Ｂの記載から明らかなように、ペット犬Ｄの両眼を通る直線の前方に隣接して位置する一連の帯状のセクション２をなしている。【００６６】
さらに、セクション３、７は、それぞれセクション１及び２ｂ、２ｄに隣接している。したがって、セクション２ａにおける被毛Ｈの開立に続いて、その右側に隣接するセクション２ｂの被毛Ｈも同様にペット犬Ｄの鼻側からドライヤー風を当てて梳かし具２２をセクション２ｂの面に平行よりも先端側をやや下側に傾斜して位置し、そのくし歯先をペット犬Ｄの向かって右側の眼側に向けてセクション２ｂの被毛Ｈに差し込んだ状態で、そのくし歯先を右眼の下側に軽く当てながらその角度を保持したまま額寄りの上方に動かして梳かすことによって、伸長し、開立して自立するのであるが、これに先行して、セクション１に隣接するセクション３の被毛Ｈを同様に眼側に向けて梳かしながら、セクション２ｂにおける梳かしに移るようにしている。【００６７】
それに続いて同様に、セクション２ｃにおける被毛Ｈについてもペット犬Ｄの鼻側からドライヤー風を当てて梳かし具２２をセクション２ｃに平行よりも先端側をやや下方に傾斜して位置し、そのくし歯先をペット犬Ｄの向かって右側の眼側に向けてセクション２ｃの被毛Ｈに差し込んだ状態で、そのくし歯先を右眼の下側に軽く当てながらその角度を保持したまま上方に動かして梳かすことによって、上方に向けて、その根元から起立するように伸長して開立して自立する。これらのセクション１及び２ａ、３及び２ｂ、２ｃの開立動作は、複数回繰り返して実行され、全体として万遍なく梳かされて全体としてふんわりとした立体形状が維持される。【００６８】
その後、これまでのマズル部Ｍの向かって右側のセクションの開立動作と同様に、セクション２ａの左側に隣接するセクション２ｄにおける被毛Ｈの梳かしに先行して、セクション１に隣接するセクション７における被毛Ｈ、これに続くセクション２ｄについての梳かし、さらに、それに続いて同様に、セクション２ｅにおける被毛Ｈについても同様に、複数回繰り返して梳かされ、その根元から起立するように伸長して開立して自立する。【００６９】
このようにして、ペット犬Ｄの両眼を通る直線の前方に隣接するセクション２ａ−２ｅの帯状全体の被毛Ｈが、前述したようにコームのような梳かし具２２で梳かされ、従来では、その箇所の被毛Ｈは下方や鼻方向に向かったりし、萎んでいたが、根元から起立して伸長して開立し、図７Ａ、７Ｂに示すように丁度、ドライヤー風の両眼に対する防風壁のように構成されて、ペット犬Ｄの両眼に向かう風を抑制し、安全に眼前の被毛Ｈの開立作業をすることができる。【００７０】
さらに、前述した右側セクション２ｃに続いて、それに隣接するセクション４ａの被毛Ｈを梳かすが、それに先行して、同位置に近い左側セクション８ａにおける被毛Ｈを図８のように、概略その表面を梳かして、その後に、セクション４ａの被毛Ｈを、図８のように伸長し、開立して自立する。【００７１】
さらに、ペット犬Ｄは自然と眼を閉じているが、それでも一層用心したい場合や、マズル部Ｍの被毛Ｈを開立する犬種以外でも、ペット犬Ｄに対しては、図１１に例示するような防風マスク３０を使用することができる。すなわち、この防風マスク３０は、透明なプラスチック板材を加工して、ペット犬Ｄのノーズブリッジを跨いで両眼の直前に位置することができる設置部３２を有し、ドライヤー２０の風を眼の直前で遮断するような壁部３４を有する形状をなす。【００７２】
これを施術者が、例えば左手でペット犬Ｄの顔をあご下の被毛Ｈを保持して支えながらこの防風マスク３０をペット犬Ｄの眼前に配置し、その前部の被毛Ｈを右手の梳かし具２２で上方に開立することができる。この防風マスク３０のプラスチック板材の外周縁は、図示していないが、全周をカールしていわゆるエッジ部分をなくすことによってペット犬Ｄに対する安全を確保することができる。また、防風マスク３０のプラスチック板材の外周縁に、柔軟質のガスケットを設置して、いわゆるエッジ部分をなくすことも可能である。【００７３】
図示していないが、この防風マスク３０に代えて、同形状の防風マスクの両端に、中間部に把持部を有するスプリングワイヤーの端部を連結したものを用意して、この把持部を前述したあご下の被毛Ｈの把持と一緒に左手で把持して、防風マスクを所定位置に安定して保持するようにすることもできる。【００７４】
この方法によれば、ペット犬Ｄは、ドライヤー２０の送風がマスク３０によって防風されて眼に当ることなく、また透明なマスク３０であるために視界を遮られることもないので、安心しておとなしくグルーミングを受けることができる。このマスク３０には、ペット犬Ｄの眼前のマズル部Ｍの被毛Ｈの輪郭を例示するゲージを表示しておくことにより、施術練習者用の被毛Ｈのカット時のガイドとして使用することも可能である。【００７５】
この透明な防風マスク３０に代えて、透明であることのメリットを放棄して、図１２に示すような、柔軟で扱い易く、ペット犬Ｄにもより安全で優しい布製の防風マスク３０ａを使用することもできる。この布製の防風マスク３０ａは、中央部下縁に、ペット犬Ｄのノーズブリッジに対応する位置に凹部３０ｂを有する長円形であり、その両端部に伸縮自在のゴムひものような保持具３５を有している。このような防風マスク３０ａのペット犬Ｄへの装着は、ペット犬Ｄの両眼の前に、防風マスク３０ａが位置するように、ノーズブリッジに対して前記凹部３０ｂを位置合わせし、保持具３５を伸ばしながらペット犬Ｄの耳の下から頸に回してその位置を保持する。【００７６】
したがって、施術者は、このような防風マスク３０ａを使用することによって、左手をペット犬Ｄの顔の保持のみに使うことができ、容易に作業することができる。【００７７】
その後は、以下の説明においてはペット犬Ｄの顔の向かって右側に位置するセクションについて優先される梳かし作業について説明し、左側に位置するセクションの梳かし作業については同様であるので説明は省略する。【００７８】
以降も各セクションの被毛Ｈを梳かしていく作業の中で、適宜、各セクション２ａ−２ｅを確実に梳かす作業を加えて、確実な整形を維持していく。これは、ペット犬Ｄのマズル部Ｍの被毛Ｈの生え方の性質上、両眼を通る直線の前方に隣接する各セクションにおける被毛Ｈは、その位置から鼻の方や下方向へ向かっての生え方が一定で、セクション３や、セクション４ａ、４ｂにおける被毛Ｈをも鼻方向や下方向へ押し倒してしまう程の流れを有しているためである。【００７９】
また、このマズル部Ｍの両眼頭下方、すなわち、両眼頭の前方に隣接する、押し倒す力の特に強い部分における被毛Ｈには、図９に示すように鋏２４で部分的に切り込みを入れて、この鼻先へ向かう力のある流れの被毛Ｈを部分的にカットして取り除き、この状態で、図７Ａ、７Ｂに示すような方向に被毛Ｈを梳かすことができる。それによって、両眼の前方に隣接する目元から鼻先に向かう力の強い被毛Ｈによってそれに隣接する被毛Ｈが下方に押し流されることを防止できるとともに、そのカットした部分を、伸長開立したセクション２ａ−２ｅの被毛Ｈにより覆い隠すことができて、カットされた切り口も見えず、いわゆる隠し包丁のような隠し鋏として使用することができ、外観的なボリュームを減少することなく、マズル部Ｍの被毛Ｈの外形保持の効果に役立つ。【００８０】
これによって、外形的な被毛Ｈのボリュームも減少することなく、隣接する被毛Ｈを倒してしまうことも抑止することができる。さらにセクション３、７における被毛Ｈの開立の効果をより一層保つことができる。この実施例においては、前述のように、梳かし作業の際にこの切り込みを入れる工程を説明したが、この切り込みを入れる工程については、例えば、シャンプーの前、さらには、マズル部Ｍの被毛Ｈがドライングされ、開立が完了した後に行うこともできる。【００８１】
続いて、前述したようにセクション４ａの前方からドライヤー２０の風を位置させ、被毛Ｈが、鼻よりも下向きに形成されないようにドライヤー風を当て、ペット犬Ｄの鼻の横にコームのような梳かし具２２を位置するとともに、ここでも前述したように、梳かし具２２のくし歯先方向及び横方向に動かしながら梳かすことによって被毛Ｈを伸長し、これによって、このセクション４ａの被毛Ｈに頭部方向への流れを形成させて癖付けして、伸長して自立し、鼻を中心に放射状にその形状を記憶させることができる。【００８２】
この実施例においては、先ずペット犬Ｄの両眼を通る直線の前方に隣接するマズル部Ｍのセクション２ａ−２ｅにおける被毛Ｈを開立して伸長して、立体的に保形する工程を先行して作業したが、この手順によれば、両眼前方のマズル部Ｍのセクションにおける被毛Ｈが根元から上方に伸長して癖付され、開立した状態で、ペット犬Ｄにとっては、その開立した部分の被毛Ｈが、鼻前方や斜め方向からのドライヤー風を阻止する両眼に対する防風壁の役目を果たすことができる。【００８３】
その他、この作業と同時に、さらに隣接するセクション８ａ、７、１、３、４ａなどにおける被毛Ｈを伸長状の仮の癖付け、または予備的な癖付けを行いたい場合には、前記開立作業に先行して、マズル部Ｍの傾斜を、鼻先を少し上げ、ドライヤー風がペット犬Ｄの眼に入らないようにし、これらのセクションの被毛Ｈを、梳かし具２２によって予備的な梳かしを実施することは可能である。【００８４】
図８に示すように、鼻側からセクション４ｂにおける被毛Ｈにドライヤー２０の風を当てるようにする。そして、その余波でセクション４ａにおける被毛Ｈが鼻より前方に飛び出して形成されないように注意して風を当て、セクション４ｂにおける被毛Ｈを、セクション６、すなわち頬方向にコームのような梳かし具２２を動かして梳かす。また、その延長上の前記セクション２ｂ、２ｃにおける被毛Ｈも上方に梳かし、それらの被毛Ｈが開立して自立し、全体としてやや上向きの放射状に広がるように梳かす。
また、セクション５（リップライン）の横側からセクション５における被毛Ｈが、セクション４ｂの方になびくようなドライヤー２０の風を当て、リップラインから上方、及び、セクション４ｂ方向やセクション６（頬）方向に梳かして伸長する。さらに、相互に隣接するセクション４ｂにおける被毛Ｈも、梳かし具２２を頬方向へ水平方向に動かし、相互に一体化する。【００８５】
これにより、セクション５における被毛Ｈをセクション４ｂになびく向きに形づけ、セクション４ｂにおける被毛Ｈを下から支える役割の箇所にすることができる。【００８６】
また、従来、このリップラインの被毛Ｈは、口元の水分により、口の中の方にカールし、ペット犬Ｄの口の中に巻き込まれる被毛Ｈが多く、ペット犬Ｄにとっては不快な被毛Ｈとなり、また、さらにマズル部Ｍの被毛Ｈが垂れ下がる要因にもなっていたが、これらを上向きに癖付けすることにより、最小限にし、もしくは充分に回避することができる。【００８７】
引き続き、セクション６（頬）における被毛Ｈを水平の方向に梳きならし、伸長して隣接する流れと一体化する。耳の前の被毛Ｈについても同様に梳かしならす。【００８８】
すなわち、セクション４ｂにおける被毛Ｈは、マズル部Ｍの側面内部における被毛Ｈであっても、根元から確実に伸長し開立して自立し、セクション２ｂ及びセクション２ｃにおける被毛Ｈは、鼻の方に向かう流れが強いが、頭部の方向に開立した状態に、根元から確実に伸長し自立して形成することができる。なお、それぞれ自立している被毛Ｈは、相互に隣接する被毛Ｈと部分的に接触して相互に支え合ってその開立状態をより一層維持することができる。したがって、それら各セクションとも、被毛Ｈは鼻の方に向かず、下に垂れ下がることなく、根元から確実に自立して開立してふっくらとしてやわらかな膨らみをもった形づけができる。【００８９】
次いで、ドライヤー２０の送風口をペット犬Ｄの鼻の前方に位置し、セクション２ａ−２ｅにおける被毛Ｈは、図７Ａ、７Ｂのように梳かし、セクション４ａ、４ｂ、及び、セクション１、３、７の被毛Ｈは、ペット犬Ｄに向かって右半分とそれに隣接する被毛Ｈ全体を、鼻を中心としたやや上向きの放射状に梳かし具２２を動かして整えるようになじませる。【００９０】
これによって、鼻先から前方に被毛Ｈが飛び出さない状態を確実に形づけるとともに、マズル部Ｍの右半分とそれに隣接する被毛Ｈが自立して、後の最終ドライングの時点で放射状に美しく広がるように確実に開立するように被毛Ｈを癖付けることができる。【００９１】
セクション８ａ、８ｂにおける被毛Ｈについては、セクション４ａ、４ｂにおける被毛Ｈの処置と同様であるので説明は省略する。【００９２】
また、セクション９における被毛Ｈについては、セクション５における被毛Ｈの処置と同様であるので説明は省略する。【００９３】
セクション１０における被毛Ｈについては、セクション６における被毛Ｈの処置と同様であるので説明は省略するが、その後、耳の前方の被毛Ｈについても梳かす。【００９４】
さらに、マズル部Ｍの向かって左半分についても前述したようにセクション８ａにおける被毛Ｈに、前方から風が当るようにドライヤー２０を位置させ、セクション２ａ、２ｄ、２ｅにおける被毛Ｈは、図７Ｂのように梳かし、セクション８ａ、８ｂ、及びセクション１、７の被毛Ｈは、ペット犬Ｄに向かって左半分の被毛Ｈ全体を、鼻を中心としたやや上向きの放射状に梳かし具２２を動かして整えるようになじませる。【００９５】
これによって、鼻先から前方に被毛Ｈが飛び出さない状態を確実に形づけるとともに、マズル部Ｍの左半分の被毛Ｈが自立して、後の最終ドライングの時点で放射状に美しく広がるように確実に開立するように、被毛Ｈを癖づけることができる。【００９６】
ドライヤー風をペット犬Ｄの鼻の前方から当て、セクション２ａ−２ｅにおける被毛Ｈを図７Ａ、７Ｂのように整え、さらに、セクション１、３、７、４ａ、４ｂ、８ａ、８ｂ、１１における被毛Ｈについて、鼻を中心としたやや上向きの放射状に梳かして自立して整え、開立を維持して癖付けする。【００９７】
これによって、マズル部Ｍの全体の被毛Ｈを、さらに空気感を含んだやわらかでふっくらとした、やや上向きの開立を形成して自立し、外形、すなわち、被毛Ｈの先端部で形成される輪郭が、図１４に例示するように、前望して、ほぼ楕円形、長円形、または円形をなすことができるようにカット可能に形成されるように開立して、各セクションにおける被毛Ｈが隣接するセクションの被毛Ｈと相互に部分的に接触し合い、その形状をより一層確実に維持することができる。その結果、従来はできていなかった両眼の直前からマズル部Ｍの開立した被毛Ｈがあり、両眼の下半が隠されて垂れ目のように微笑んでいるように、ペット犬Ｄの顔立ちが一層可愛く見える形成が可能となる。
このマズル部Ｍの輪郭は、図１５に例示する写真のように、図１４では明確に表われていないマズル部Ｍの被毛Ｈのふんわりした外形を有する。【００９８】
さらに、その他の被毛Ｈについてもドライングする。【００９９】
全体のドライングが済んだ後も、その途中でも、ペット犬Ｄの動きや、他部に当てた風の余波等によって、マズル部Ｍの被毛Ｈの形状が少しでも変化した部分があれば、それを全体形状に整合するように整え直すため、再び、ペット犬Ｄの鼻の前方からマズル部Ｍ方向へ風を向け、鼻を中心とした美しい放射状に被毛Ｈがひろがった状態に、また、２ａ−２ｅセクションの被毛Ｈは図７Ａ、７Ｂのように自立するよう、梳かし具２２により梳かし整え、その形状を記憶させる。【０１００】
これによって、マズル部Ｍの全てのセクションの被毛Ｈについて、全体としてふんわりと内部から最大限に膨らみ、ふっくらと柔らかでありながら、カットするのに望ましい状態で立体的に自立して開立形成されている。そして、前望して鼻を中心とした美しい放射状にひろがり、なおかつ、側方から見ても眼の直前から被毛Ｈは立体開立し、また、鼻から先に被毛Ｈは出ておらず、マズル部Ｍのどこの被毛Ｈも垂れ下がっていないという、マズル部Ｍの全体の被毛Ｈを、その被毛Ｈの先端部で形成される輪郭が、前望して、ほぼ楕円形、長円形、または円形をなすことができるようにカット可能に形成されるように開立して、理想的な状態のマズル部Ｍの被毛Ｈの形状とすることができる。そしてまた、これは、所定の時間が経過しても自立して保持できるものである。【０１０１】
また、この発明のグルーミング方法によって形成されたマズル部Ｍの各セクションにおける被毛Ｈの一本一本が根元から伸長されて確実に開立して自立し、さらには相互に隣接する被毛Ｈと部分的に接触して、一層確実に支持して、被毛Ｈの先端部で形成される輪郭が、前望して、ほぼ楕円形、長円形、または円形をなすことができるようにカット可能に形成されるように開立して、非常に作り易い形状に形成されており、その丸く膨らんだ状態をカットにそのまま生かすことができる。したがって、ドライヤー２０の電源をオフにした後、被毛Ｈをカットする前にコームで望む位置に整え直す作業が要らず、そのまますぐに鋏を持ってカットすることができる。また、望むのであれば、完全球状や、望む大きさに、自由に形を整えることもできる。【０１０２】
セクション２ａや両眼を通る直線の前方に隣接するセクション２ｂ−２ｅにおける開立している被毛Ｈのうち、眼に触れそうな被毛Ｈの先端を、ペット犬Ｄの額と鼻とのつなぎ部分、すなわち図１０に示すような、ストップ部Ｓにおいて、ノーズブリッジ上面に対して鋏２４の刃の断面がほぼ垂直になるような角度でカットする。従来技術においては、もとから２セクション、特に、２ｂ、２ｃ、２ｄ、２ｅの被毛Ｈは、垂直に当てる意味がないほど開立していないか、もしくは、この鋏２４の角度をノーズブリッジ上面に対して傾けたり、平行になるように当てていたので、結果的に鼻上部のセクション２ａと隣接するセクション１、３、７の被毛Ｈがカットされてしまい、マズル部Ｍの被毛Ｈの高さが減少して、立体楕円形の高さが低く形成される結果となっていた。それにより、さらに、従来技術では、マズル部Ｍの被毛Ｈの外形が、横長円形や、円盤型、山型、三角形状、小さい円型という選択となる結果となっていた。それに加えて、両眼が丸々見え、微笑んでいるようには形成できないとともに、人が普通にペット犬Ｄを見る目線からは、両眼の前の萎んだ箇所も目視される様子となり、表情形成には今一つであった。【０１０３】
この発明による、開立された被毛Ｈ、及び、鋏２４のノーズブリッジ上面に対するほぼ垂直のようなカットによれば、前述したように、図１０による鋏２４の角度で、両眼を通る直線の前方に隣接する帯状セクションとなる、セクション２ａ−２ｅにおける、両眼の直前に開立した被毛Ｈのうち、ストップ部Ｓの被毛Ｈ、及びこれより若干眼側に位置して眼に触れるキワの被毛Ｈが一部カットされるだけである。したがって、ノーズブリッジや眼の前に位置する被毛Ｈもほとんどそのままであるから、被毛Ｈの先端部で形成される輪郭が、前述のように形成されて、マズル部Ｍの全ての被毛Ｈを最大限に生かして利用でき、頂点の高いほぼ円に形成できるように改善することができる。【０１０４】
すなわち、セクション２ａ−２ｅ及びセクション１、３、７の近傍の被毛Ｈをできるだけ長く残せることにより、図１０に示すように、マズル部Ｍの特に高さ方向に、その輪郭、すなわち外形が両眼の高さを超えるような充分な高さをもって確実に開立でき、被毛Ｈの柔軟性を持たせることができる。したがって、前方への被毛Ｈを押す力が弱められ、被毛Ｈが鼻先方向に傾かないようにする作用をも有している。
従来技術の、鼻周りの被毛Ｈを広げてカットする方法では、マズル部Ｍが数センチなど短い顔においては、眼の前の被毛Ｈの萎みの距離は短いので、視覚的にごまかせた。しかし、例えば、ペット犬Ｄが３ｋｇ以上や、個体のサイズが大きくなったり、マズル部Ｍの長い顔になると、鼻周りの被毛Ｈを広げる方法では、眼の前の被毛Ｈは萎んでいるので、マズル部Ｍの長さを視覚的に強調し、ペット犬Ｄの顔を間伸びさせ、可愛らしく形成することができず、不満足の結果になっていた。しかし、この発明によるグルーミング方法によれば、どの大きさのペット犬Ｄであっても、眼の直前から鼻側まで、被毛Ｈは開立されるので、それも解決される。【０１０５】
さらに加えて、それらのことから、従来技術のグルーミング方法では、ペット犬Ｄの正面からみて、その両眼が、開立された被毛Ｈによって全く隠されることがないため、前方から眼全体がまるまる見えていた。しかしながら、この発明のグルーミング方法によれば、被毛Ｈによる楕円形の上弧の高さを選べるようになり、図１４の図示、および図１５の写真からも明らかなように両眼のほとんど全部、またはその下半の一部がマズル部Ｍの開立した被毛Ｈによって隠され、また、眼の前から一旦下がって鼻側の被毛が膨らんでいるような被毛Ｈの萎みもなく、ペット犬Ｄの顔立ちが一層優しげに愛らしく見える高さの膨らみに仕上げることができる。
また、この発明によるグルーミング方法によれば、従来できていなかった、鼻からの輪郭への距離が、下方への距離よりも、上方への距離が長い円や楕円形をつくることができる。それにより、ペット犬Ｄの顔の大きさ及びマズル部Ｍの長さに影響されず、被毛Ｈの輪郭による形状が顔の中央寄りに形成でき、可愛らしくすることができる。加えて、大きい楕円形や円形も形成できる。【０１０６】
従来では、開立状態の弱い形成によるドライング後のマズル部Ｍの鼻側の被毛Ｈを、カット時に望む位置に、梳かし具２２で梳かしながら保持し、または、架空の位置に梳かし運ぶことによりカット形成していたために、それら被毛Ｈは萎れが早まったり、カット直後から変形したり、加えて、眼の前の萎み箇所も範囲が広くなり、さらに鼻側の被毛Ｈに影響を与えていた。【０１０７】
この発明によるグルーミング方法によれば、ペット犬Ｄの両眼を通る直線の前方に隣接して位置するマズル部Ｍのセクションにおける被毛Ｈを開立して自立するとともに、マズル部Ｍの被毛Ｈを全体としてその外形、すなわち、被毛Ｈの先端部で形成される輪郭が、図１４の図示、及び図１５の写真に示すように、前望して、ほぼ楕円形、長円形、または円形をなすことができるようにカット可能に形成されるように開立して、立体的に形成されるので、マズル部Ｍの被毛Ｈが、その前後左右から相互に維持し合うことができる。根元から開立して自立した被毛Ｈが、綺麗に望ましく開立している形態に、立体的に、理想的に保持されるので、ドライング工程で形成したその形態であるまま利用して、形成することができる。【０１０８】
以上の実施例においては、梳かし具２２は、図７Ａにおいて点線で示すようにその長手方向を両眼にほぼ平行に位置し、くし歯の先端側をペット犬Ｄのマズル部Ｍのセクション１及びセクション２ａの面に対して平行よりやや下方に傾斜して、そのくし歯先をペット犬Ｄの両眼側に向けてマズル部Ｍのセクションの被毛Ｈに差し込んだ状態で、くし歯先を両眼間に軽く当てながらその角度を保持したまま上方に動かして、両眼の前で被毛Ｈを伸長しつつ、開立して自立させる方法について説明したが、梳かし具２２の位置および動作については他のやり方でもこの発明のグルーミング方法は実行可能である。
すなわち、梳かし具２２の長手方向をペット犬Ｄのそれぞれの眼と鼻とを結ぶ線にほぼ沿う方向に位置し、そのくし歯先をそのセクションにおける被毛Ｈに差し込んだ状態で梳かし具２２の長手方向に動かしながら、被毛Ｈを両眼の間の方向に曲線を描くように移動しながら梳かして上方に開立することも可能である。【０１０９】
詳述すれば、このように位置した梳かし具２２のくし歯先を、セクション２ａ、さらには、それに隣接するセクション２ｂ及び２ｃにおける被毛Ｈに差し込んだ状態で梳かし具２２をその長手方向、すなわち、眼、または両眼の間の方向に曲線を描くように移動しながら梳かしあげる。したがって、セクション２ａ、２ｂ、２ｃにおける被毛Ｈは、梳かし具２２の長手方向端部のくし歯によって部分的に伸長され、開立されるので、この動作を隣接する領域で繰り返すことによって、全体を伸長し開立することができる。【０１１０】
マズル部Ｍのこれらのセクションの反対側のセクション２ａの中央から２ｅについては、２ａの中央から２ｃと同様であるので、説明は省略する。開立の状態については、前述した実施例の場合と同等に維持することができるが、このような方法によって開立した被毛Ｈについては、部分的に開立されることから外形に差が生じる可能性があるので、全体が均一に開立されるように、前述の実施例による梳かし具２２による開立動作によって、最終的に調整して梳かしあげることもできる。【０１１１】
なお、施術者がカット作業において若干未熟であったり、マズル部Ｍの被毛Ｈを立体楕円形に形成する技術習得の時間短縮のためには、図１３に示すような目安定規４０を使用することもできる。すなわち、目安定規４０は、透明なプラスチック平板で形成され、ペット犬Ｄのマズル部Ｍの望ましい被毛Ｈの外形に一致するほぼ円状の形状を有し、その中央部下方には、ペット犬Ｄの鼻に相当する位置に基準孔４２を開口する。【０１１２】
ここで、ペット犬Ｄの開立したマズル部Ｍの被毛Ｈをカットするにあたっては、この目安定規４０の基準孔４２をペット犬Ｄの鼻にあてがい、その外形を目安としてマズル部Ｍの被毛Ｈの外形をカットすることができる。したがって、これまで思い通りの形状にカットすることのできなかった施術者にとっても、ペット犬Ｄの個体のサイズ、好みの形状に合わせたサイズや形状の目安定規を複数種用意しておいたり、目盛を配置しておくことによって、希望する形状にカットすることが容易になる。これによって、切り過ぎや、いびつになったり、三角形状になってしまうなどの失敗を防ぐことができる。
【符号の説明】
【０１１３】
２０…ドライヤー、    ２２…梳かし具、    ２４…鋏、    ３０…防風マスク、    ３０ａ…防風マスク、    ３０ｂ…凹部、    ３２…設置部、    ３４…壁部、    ３５…保持具、    ４０…目安定規、    基準孔…４２、
Ｄ…ペット犬、  Ｈ…被毛、  Ｍ…マズル部、  Ｂ…ヒゲ、  Ｓ…ストップ部
【図１】
2017094090.tif 000003
【図２】
2017094090.tif 000004
【図３Ａ】
2017094090.tif 000005
【図３Ｂ】
2017094090.tif 000006
【図４】
2017094090.tif 000007
【図５Ａ】
2017094090.tif 000008
【図５Ｂ】
2017094090.tif 000009
【図６Ａ】
2017094090.tif 000010
【図６Ｂ】
2017094090.tif 000011
【図６Ｃ】
2017094090.tif 000012
【図７Ａ】
2017094090.tif 000013
【図７Ｂ】
2017094090.tif 000014
【図８】
2017094090.tif 000015
【図９】
2017094090.tif 000016
【図１０】
2017094090.tif 000017
【図１１】
2017094090.tif 000018
【図１２】
2017094090.tif 000019
【図１３】
2017094090.tif 000020
【図１４】
2017094090.tif 000021
【図１５】
2017094090.tif 000022
【国際調査報告】
2017094090.tif 000023
2017094090.tif 000024
2017094090.tif 000025